(57)【要約】 【課題】  ユーザが行う必要があった撮影操作とサーバへの登録操作とを軽減することのできる通信装置およびサーバシステムを提供する。  【解決手段】  ユーザの視点にあわせて撮影対象を撮影可能とするようユーザの身体に装着される通信装置１００において、バイタル情報センサ１０１は、ユーザのバイタル情報（脈拍数など）を取得し、位置情報取得部１０４は通信装置１００の現在位置を示す位置情報を取得し、撮影部１０５は、バイタル情報取得部１０１が取得したバイタル情報に基づいて撮影動作を行い、送受信部１０７は、撮影終了すると自動的に、撮影した撮影データ、通信装置１００を特定する電子メールアドレス（または電話番号）、および位置情報をサーバ装置２００に送信する。サーバ装置２００は、受信した撮影データ等を記憶する。【選択図】  図２
2005303734.tif 000002
【特許請求の範囲】
【請求項１】
ユーザに装着可能な通信装置において、
前記ユーザが置かれた環境に応じて変化し前記ユーザの生体としての活動状態を示すバイタル情報を取得するバイタル情報取得手段と、
前記通信装置の現在位置を示す位置情報を取得する位置情報取得手段と、
前記バイタル情報取得手段が取得したバイタル情報が予め定めた条件を満たすと撮影動作を行う撮影手段と、
前記撮影手段による撮影が終了すると、前記撮影手段が撮影した撮影データ、前記通信装置を特定する特定情報、および前記位置情報取得手段が取得した位置情報を予め定められたあて先に送信する送信手段とを備える通信装置。
【請求項２】
前記バイタル情報取得手段と、前記撮影手段と、前記送信手段とは互いに無線通信によりバイタル情報、撮影データを送受信することができるよう別体で構成され、
前記バイタル情報取得手段は取得したバイタル情報を無線通信により前記撮影手段に送信し、前記撮影手段は前記バイタル情報に基づいて撮影を行うとともに、撮影した撮影データを前記送信手段に無線通信により送信し、前記送信手段は前記撮影手段から送信された撮影データを予め定められたあて先に送信することを特徴とする請求項１記載の通信装置。
【請求項３】
請求項１記載の通信装置と、前記通信装置と通信することができるサーバ装置とから構成されるサーバシステムにおいて、
前記サーバ装置は、
前記通信装置から送信される撮影データ、特定情報、および位置情報を受信するデータ受信手段と、
前記データ受信手段が受信した撮影データ、特定情報、および位置情報を関連付けて記憶する記憶手段と、
を備えることを特徴とするサーバシステム。
【請求項４】
前記サーバ装置は、
前記記憶手段に既に記憶されている前記通信装置が撮影した撮影データの中から、前記受信手段が受信した位置情報に基づいた撮影データを抽出するデータ抽出手段と、
前記データ抽出手段が抽出した撮影データを前記通信装置へ配信する配信手段と、をさらに備えることを特徴とする請求項３記載のサーバシステム。
【請求項５】
前記通信装置の前記送信手段は、前記撮影データ、前記特定情報、および前記位置情報とともに、前記バイタル情報取得手段が取得したバイタル情報に基づいた感情を示す付加情報を前記あて先となる前記サーバ装置に送信し、
前記サーバ装置の前記記憶手段は、前記受信手段が受信した前記撮影データ、前記特定情報、前記位置情報、および前記付加情報とを関連付けて記憶することを特徴とする請求項３または４記載のサーバシステム。
【請求項６】
前記サーバ装置の前記データ抽出手段は、前記通信装置から撮影データおよびバイタルデータを前記受信手段が受信したとき、前記受信手段が受信した付加情報に基づいて前記記憶手段から撮影データを抽出し、
前記サーバ装置の前記配信手段は、前記データ抽出手段が抽出した撮影データを送信することを特徴とする請求項５記載のサーバシステム。
【発明の詳細な説明】
【技術分野】
【０００１】
本発明は、ユーザが撮影したデータをサーバに登録する通信装置およびサーバシステムに関する。
【背景技術】
【０００２】
近年のカメラ付き携帯電話は、ユーザの操作により撮影した静止画データ、動画データをネットワーク上に配置されているサーバに登録することができる。そして、ユーザは、登録した静止画データ、動画データをパソコン等を用いて閲覧することができる。通常、ユーザは、カメラ付き携帯電話に備えられているパケット通信機能を用いて、自らが送信操作を行うことにより撮影した静止画データ、動画データをサーバに送信することができる。通常のカメラ付き携帯電話においては、ユーザによる送信操作を必要とすることから、手間のかかるものである。この手間を軽減するものとして、撮影された静止画データを自動的にサーバに登録することのできるカメラが特許文献１に記載されている。特許文献１に記載のカメラは、シャッターボタンが押下されると、撮影された静止画データを、当該静止画データを保存する保存サーバに自動的に送信するものである。
【特許文献１】特開２００３−１３４２５８号公報
【発明の開示】
【発明が解決しようとする課題】
【０００３】
しかしながら、特許文献１に記載のカメラは、ユーザがシャッター操作を行わなければならないものである。よって、ユーザがイベントなどの撮影対象を即座に撮影したい場合、ユーザがカメラを出し、シャッター操作をしようとしている間にイベントが終了してしまい、ユーザは当該イベントを撮影することができない場合がある。
【０００４】
そこで、本発明は、上述の問題点を解決するため、ユーザが行う必要があった撮影操作とサーバへの登録操作とを軽減することのできる通信装置およびサーバシステムを提供することを目的とする。
【課題を解決するための手段】
【０００５】
上述の課題を解決するため、本発明の通信装置は、ユーザに装着可能な通信装置において、前記ユーザが置かれた環境に応じて変化し前記ユーザの生体としての活動状態を示すバイタル情報を取得するバイタル情報取得手段と、前記通信装置の現在位置を示す位置情報を取得する位置情報取得手段と、前記バイタル情報取得手段が取得したバイタル情報が予め定めた条件を満たすと撮影動作を行う撮影手段と、前記撮影手段による撮影が終了すると、前記撮影手段が撮影した撮影データ、前記通信装置を特定する特定情報、および前記位置情報取得手段が取得した位置情報を予め定められたあて先に送信する送信手段とを備えている。
【０００６】
ユーザのバイタル情報に基づいて撮影した撮影データをサーバなどに送信することにより、ユーザが操作を行うことなく、ユーザが撮影したいと思われる撮影対象を自動的に撮影することができ、使い勝手の良い通信装置を提供することができる。
【０００７】
また、本発明の通信装置は、上記バイタル情報取得手段と、上記撮影手段と、上記送信手段とは互いに無線通信によりバイタル情報、撮影データを送受信することができるよう別体で構成され、上記バイタル情報取得手段は取得したバイタル情報を無線通信により上記撮影手段に送信し、上記撮影手段は上記バイタル情報に基づいて撮影を行うとともに、撮影した撮影データを上記送信手段に無線通信により送信し、上記送信手段は上記撮影手段から送信された撮影データを予め定められたあて先に送信するよう構成されている。
【０００８】
上記バイタル情報取得手段と、上記撮影手段と、上記送信手段とは互いに無線通信によりバイタル情報、撮影データを送受信することができるよう別体で構成されることにより、通信装置自体の構成に自由度を持たせることができ、使い勝手の良い通信装置を提供することができる。
【０００９】
また、本発明のサーバシステムは、上記通信装置と、上記通信装置と通信することができるサーバ装置とから構成されるサーバシステムにおいて、上記サーバ装置は、上記通信装置から送信される撮影データ、特定情報、および位置情報を受信するデータ受信手段と、上記データ受信手段が受信した撮影データ、特定情報、および位置情報を関連付けて記憶する記憶手段と、を備えている。
【００１０】
サーバ装置が通信装置から送信された撮影データを受信し、記憶することにより、通信装置からの撮影データを保持することができるサーバ装置を提供することができる。
【００１１】
また、本発明のサーバシステムでは、上記サーバ装置は、上記記憶手段に既に記憶されている上記通信装置が撮影した撮影データの中から、上記受信手段が受信した位置情報に基づいた撮影データを抽出するデータ抽出手段と、上記データ抽出手段が抽出した撮影データを上記通信装置へ配信する配信手段と、をさらに備えている。
【００１２】
サーバ装置は、既に記憶されている撮影データから通信装置の位置情報に基づいた撮影データを抽出し、抽出した撮影データを通信装置に送信することにより、以前に撮影したデータを、時間を経て得ることができ、ユーザは以前に撮影した撮影データを撮影した場所にいながら当時を思い浮かべて鑑賞することができる。また、撮影したデータをリマインダ機能として活用することができる。
【００１３】
また、本発明のサーバシステムでは、上記通信装置の上記送信手段は、上記撮影データ、上記特定情報（例えば、電子メールアドレス、または電話番号）、および上記位置情報とともに、上記バイタル情報取得手段が取得したバイタル情報に基づいた感情を示す付加情報を上記あて先となる上記サーバ装置に送信し、上記サーバ装置の上記記憶手段は、上記受信手段が受信した上記撮影データ、上記特定情報、上記位置情報、および上記付加情報とを関連付けて記憶することも好ましい。
【００１４】
通信装置はバイタル情報をあわせてサーバ装置に送信し、サーバ装置ではバイタル情報を撮影データ等ともに登録することにより、当時の感情や思いも合わせて残すことができる。
【００１５】
また、本発明のサーバシステムでは、上記サーバ装置の上記データ抽出手段は、上記通信装置から撮影データおよびバイタルデータを上記受信手段が受信したとき、上記受信手段が受信した付加情報に基づいて上記記憶手段から撮影データを抽出し、上記サーバ装置の上記配信手段は、上記データ抽出手段が抽出した撮影データを送信することも好ましい。
【００１６】
サーバ装置は撮影したデータを送信するとともに記憶された付加情報を通信装置に送信することにより、当時の感情や思いを撮影データとともに送信することができる。
【発明の効果】
【００１７】
本発明は、ユーザのバイタル情報に基づいて撮影した撮影データをサーバに送信することにより、ユーザが操作を行うことなく、ユーザが撮影したいと思われる撮影対象を自動的に撮影することができ、使い勝手の良い通信装置を提供することができる。
【発明を実施するための最良の形態】
【００１８】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１９】
まず、本発明の通信装置１００の外観構成について説明する。図１は、本発明の通信装置１００の外観構成図である。本発明の通信装置１００は、めがね部１１とつる１２とから形成される眼鏡型の通信装置であって、ユーザはつる１２を耳にかけることで当該通信装置１００をユーザの身体に装着することができる。
【００２０】
通信装置１００のめがね部１１は、一組のレンズで構成されるものであり、ユーザの視点（顔の向き）にあわせて撮影対象を撮影することができるよう一組のレンズの中央部に撮影部１０５を備え付けている。また、めがね部１１の裏側には、撮影部１０５で撮影した撮影データをプロジェクタ機能により表示することができるよう画面表示部１０８が備え付けられ、ユーザはめがね部１１の裏側に表示された撮影データを見ることができる。
【００２１】
つる１２は、ユーザの耳にかけることにより通信装置１００をユーザに装着させるものであり、つる１２はスピーカ１０９、マイク１０６を備え付けている。ユーザは、スピーカ１０９から撮影したデータのうちの音声データ、受信した音声データを聞くことができる。また、マイク１０６はユーザの声、またはユーザの周囲の音声を収集し、音声データを生成することができる。また、つる１２は、ユーザのこめかみの部分と接してこめかみの部分の脈拍数を計測するバイタル情報センサ１０１を備える。
【００２２】
そして、通信装置１００は、めがね部１１に備え付けられている撮影部１０５と、つる１２に備え付けられているマイク１０６とが動作することにより生成された撮影データを、予め定めたサーバ装置に電子メールにより送信する通信機能を備えている。なお、この通信機能には、テレビ電話通信機能を有しており、テレビ電話による通話、およびテレビ電話機能を使った撮影データの送信を行うこともできる。
【００２３】
次に、図１に示した通信装置１００の構成について説明する。図２は、通信装置１００のブロック構成図である。
【００２４】
通信装置１００は、バイタル情報センサ１０１（バイタル情報取得手段）、条件判断部１０２、条件データベース部１０３、位置情報取得部１０４（位置情報取得手段）、撮影部１０５（撮影手段）、マイク１０６、送受信部１０７（送信手段）、画面表示部１０８、スピーカ１０９を備える。
【００２５】
バイタル情報センサ１０１は、通信装置１００のユーザが置かれた環境に応じて変化しユーザの生体としての活動状態を示すバイタル情報を取得するセンサである。具体的には、バイタル情報センサ１０１は、通信装置１００のユーザの脈拍数を計測するセンサであり、ユーザの脈拍数を計測することができるようユーザの身体の一部に取り付けられ、ユーザの脈拍数を示す情報を一定周期ごとに収集する。脈拍数を計測したバイタル情報センサ１０１は、計測した脈拍数を示す情報を後述する条件判断部１０２に出力する。なお、脈拍数のほか、発汗、血圧、血流、血中飽和酸素濃度、心電、体温などを計測するようにしても良く、またマイクにより音声の音量を計測するようにしてもよい。
【００２６】
条件判断部１０２は、バイタル情報センサ１０１が計測した脈拍数に基づいて、後述する撮影部１０５およびマイク１０６を用いた撮影を必要とするか否かを判断する部分である。そして、条件判断部１０２は、判断した結果に基づいた指示信号を、後述する位置情報取得部１０４、撮影部１０５、およびマイク１０６に出力する。
【００２７】
条件データベース部１０３は、条件判断部１０２が撮影部１０５およびマイク１０６を用いた撮影を行うか否かを判断するための条件を記憶する部分である。具体例を図に示す。図３は、条件データベース部１０３が記憶するセンサ情報、端末動作、付加情報（感情）とを関連付けて予め記憶する具体例を示す説明図である。
【００２８】
図３に示すとおり、（脈拍数（ｘ）−平常脈拍数）の絶対値を示すセンサ情報に対応して、通信装置の動作を示す端末動作、付加情報とが関連付けて記憶される。そして、バイタル情報センサ１０１が計測した脈拍数を用いた（脈拍数（ｘ）−平常脈拍数）の絶対値が１５０以上である場合は、撮影部１０５による動画撮影およびマイク１０６による音声録音を行うよう関連付け、また、バイタル情報センサ１０１が計測した脈拍数を用いた（脈拍数（ｘ）−平常脈拍数）の絶対値が５０以上１００以下である場合は、撮影部１０５による静止画撮影およびマイク１０６による音声録音を行うよう関連付け、また、バイタル情報センサ１０１が計測した脈拍数を用いた（脈拍数（ｘ）−平常脈拍数）の絶対値が２０以上、５０以下である場合は、撮影部１０５による静止画撮影のみ行うよう関連付け、さらにバイタル情報センサ１０１が計測した脈拍数を用いた（脈拍数（ｘ）−平常脈拍数）の絶対値が２０以下である場合は、撮影部１０５、マイク１０６による撮影は行わないように関連付けて記憶する。なお、平常脈拍数は予めユーザにより登録されているものとする。
【００２９】
なお、条件データベース１０３は、上述のセンサ情報、端末動作と関連付けて感情を示す付加情報をさらに記憶し、バイタル情報センサ１０１が計測した脈拍数を用いた（脈拍数（ｘ）−平常脈拍数）の絶対値が１５０以上である場合は、「興奮しすぎ」といった付加情報と関連付け、また、バイタル情報センサ１０１が計測した脈拍数を用いた（脈拍数（ｘ）−平常脈拍数）の絶対値が５０以上、１００以下である場合は、「うれしい」といった付加情報と関連付け、また、バイタル情報センサ１０１が計測した脈拍数を用いた（脈拍数（ｘ）−平常脈拍数）の絶対値が２０以上、５０以下である場合は、「リラックス」といった付加情報と関連付け、さらにバイタル情報センサ１０１が計測した脈拍数を用いた（脈拍数（ｘ）−平常脈拍数）の絶対値が２０以下である場合は、「普通」といった付加情報と関連付けることができるよう予め記憶する。
【００３０】
このように条件データベース部１０３に記憶される情報およびバイタル情報センサ１０１が計測した脈拍数に基づいて、上述の条件判断部１０２は後述する撮影部１０５、マイク１０６を制御する。なお、図２においては、バイタル情報センサ１０１は脈拍数を計測するセンサであるため、上述条件判断部１０２は、脈拍数に基づいて撮影方法を選択しているが、バイタル情報センサ１０１が、発汗、血圧、血流、血中飽和酸素濃度、心電、体温などを計測するものである場合には、発汗、血圧、血流、血中飽和酸素濃度、心電、体温に基づいて、上述条件判断部１０２は撮影方法を選択するようにしても良い。また、測定用のマイクが測定した音声の音量に基づいて上述条件判断部１０２は、撮影方法を選択するようにしてもよい。
【００３１】
位置情報取得部１０４は、条件判断部１０２が撮影を行うと判断したことを示す指示信号を受信すると、ＧＰＳ技術を用いて通信装置１００の現在位置を示す現在位置情報を取得する。この現在位置情報は、緯度・経度を用いて表現される。なお、条件判断部１０２から撮影をしない判断をしたことを示す指示信号を受信した場合においても位置情報を取得する。そして、位置情報取得部１０４は、取得した位置情報を後述する送受信部１０７に出力する。
【００３２】
撮影部１０５は、条件判断部１０２からの撮影を行う旨の指示信号を受信することにより撮影対象を撮影する部分であって、条件判断部１０２からの指示内容に応じて、静止画撮影、動画撮影を選択して撮影して、静止画データ、動画データを生成する部分である。具体的には、撮影部１０５は、撮影した撮影データを、静止画ファイル、動画ファイルとしてそれぞれ区別して撮影した時刻（ファイルを生成した時刻）を付加し生成する。そして、撮影部１０５は、撮影した撮影データを送受信部１０７に出力する。
【００３３】
マイク１０６は、条件判断部１０２からの撮影を行う旨の指示信号を受信することにより、音声を録音し、音声データを生成する部分であって、動画撮影時においては動画データと同期して音声録音を行う。録音された音声データは撮影部１０５が撮影した動画データとともに動画ファイルとして構成される。また、マイク１０６は静止画撮影時においては、予め定められた時間、音声録音を行い、音声ファイルとして録音した時刻（ファイルを生成した時刻）を付加して生成する。なお、静止画ファイルと音声ファイルとはそれぞれ関連付けて生成される。以降、本明細書では、これら静止画データ、動画データ、音声データを、撮影データと称する。そして、マイク１０６は、録音した音声データを送受信部１０７、また動画データを生成時においては撮影部１０５に出力する。
【００３４】
送受信部１０７は、撮影部１０５、マイク１０６が生成した撮影データを予め定められたサーバ装置２００（詳細は後述する）に電子メールにより送信する部分である。また、送受信部１０７は、撮影データを、位置情報取得部１０４により取得された通信装置１００の現在位置情報、および条件データベース１０３に基づいて得られた付加情報、および通信装置１００を特定する情報である電子メールアドレス（または電話番号）と、関連付けてサーバ装置２００に送信する部分である。さらに、送受信部１０７は、位置情報取得部１０４が取得した位置情報および通信装置１００を特定する情報のみを送受信部１０７が送信する場合は、位置情報を取得するたびに、位置情報、および通信装置１００を特定する情報を記述した電子メールを作成し、電子メールによりサーバ装置２００に送信する。
【００３５】
また、送受信部１０７は、サーバ装置２００にテレビ電話機能により接続し、映像および音声を送信する状態にしておき、撮影条件に応じて通信装置１００側から映像開始トリガをサーバ装置２００に送信し、決められた時間分サーバ装置２００側で録画・録音することにより、サーバ装置２００が映像および音声を取得する構成としても良い。
【００３６】
画面表示部１０８は、撮影した撮影データを表示し、また送受信部１０７がネットワーク上のサーバ装置から受信した静止画ファイル、動画ファイルを撮影データとして表示する部分である。
【００３７】
スピーカ１０９は、マイク１０６が生成した音声データを再生し、また送受信部１０７がネットワーク上のサーバ装置２００から受信した音声ファイル、動画ファイルを音声データとして再生する部分である。
【００３８】
上述の構成により、通信装置１００は、取得したユーザのバイタル情報に基づいて撮影部１０５、マイク１０６を用いて撮影を行い、撮影された撮影データ（静止画データ、動画データ、音声データ）を静止画ファイル、動画ファイル、音声ファイルにして、通信装置１００の現在位置情報、付加情報とともにサーバ装置に送信することができる。
【００３９】
次に、通信装置１００から送信された撮影データ、現在位置情報、付加情報を受信して登録するサーバ装置２００について説明する。図４は、サーバ装置２００のブロック構成図である。
【００４０】
サーバ装置２００は、送受信部２０１（配信手段）、データ管理部２０２（データ抽出手段）、位置情報データベース部２０３（記憶手段）、思い出データベース部２０４（記憶手段）、アドレスデータベース部２０５を備える。
【００４１】
送受信部２０１は、通信装置１００から送信され、撮影された撮影データ、通信装置１００の現在位置情報、付加情報を受信し、また後述する思い出データベース部２０４に記憶される撮影データをアドレスデータベース部２０５に基づいて取得された電子メールアドレス宛てである通信装置１００に送信する部分である。
【００４２】
また、送受信部２０１は、通信装置１００から送信された撮影データを特定することのできる思い出ＩＤを作成する部分であって、当該思い出ＩＤを一意に特定することのできる数字をもって作成する。そして、送受信部２０１が受信した撮影データを、送受信部２０１が作成した思い出ＩＤと関連付けて思い出データベース部２０４に登録する。また、送受信部２０１が受信した通信装置１００を特定する情報（電子メールアドレス、電話番号）に基づいて、後述するアドレスデータベース部２０５からユーザＩＤを抽出し、抽出したユーザＩＤと関連付けて撮影データを思い出データベース部２０４に登録する。
【００４３】
また、送受信部２０１は、受信した通信装置１００の位置情報を思い出ＩＤおよび撮影データを生成したファイル生成時刻を示すファイル生成時刻情報と関連付けて後述する位置情報データベース部２０３に登録する部分であり、また、通信装置１００から受信した位置情報を後述するデータ管理部２０２に出力する部分である。
【００４４】
データ管理部２０２は、送受信部２０１から通信装置１００の位置情報を受信すると、当該位置情報に基づいて位置情報データベース部２０３に記憶される思い出ＩＤを検索する部分である。そして、データ管理部２０２は、受信した位置情報と位置情報データベース部２０３に記憶される位置情報とが一致する位置情報に対応する思い出ＩＤを抽出する。なお、完全に一致する必要はなく、データ管理部２０２は、受信した位置情報から予め定めた範囲内にある位置情報を位置情報データベース部２０３から検索し、検索した位置情報に対応する思い出ＩＤを抽出するようにしてもよい。
【００４５】
そして、思い出ＩＤを抽出したデータ管理部２０２は、抽出した思い出ＩＤに基づいて思い出データベース部２０４に記憶される撮影データを抽出する。また、データ管理部２０２は、ユーザＩＤに基づいてアドレスデータベース部２０５からユーザＩＤに対応する通信装置１００の電子メールアドレスを抽出する。
【００４６】
そして、データ管理部２０２は、抽出した通信装置１００の電子メールアドレス、撮影データを送受信部２０１に送出し、上述した通り、送受信部２０１は抽出した電子メールアドレスで示す通信装置１００に撮影データを送信する。
【００４７】
位置情報データベース部２０３は、位置情報、思い出ＩＤ、ファイル生成時刻を対応付けて記憶する。図５は、位置情報データベース部２０３が記憶する情報の具体例を示す説明図である。
【００４８】
図５に示すとおり、位置情報データベース部２０３は、位置情報として緯度・経度を示す情報、思い出ＩＤ、撮影データのファイル（静止画ファイル、動画ファイルなど）に付加されているファイル生成時刻を記憶している。
【００４９】
そして、上述したように送受信部２０１は、通信装置１００から受信した位置情報、およびファイル生成時刻情報を、通信装置１００から受信するたびに思い出ＩＤとともに位置情報データベース部２０３に登録することにより、位置情報データベース部２０３を構築する。また、データ管理部２０２は、位置情報に基づいて位置情報データベース部２０３に記憶される情報から思い出ＩＤを抽出することができる。
【００５０】
思い出データベース部２０４は、ユーザＩＤ、思い出ＩＤ、撮影データである静止画・動画・音声データ、付加情報を関連付けて記憶する。図６は、思い出データベース部２０４に記憶される情報の具体例を示す説明図である。
【００５１】
図６に示すとおり、思い出データベース部２０４は、通信装置１００から送信された通信装置１００を特定するユーザＩＤ、サーバ装置２００の送受信部２０１において受信した撮影データに割り当てられた思い出ＩＤ、通信装置１００から送信された静止画・動画データを特定するファイル名、通信装置１００から送信された音声データを特定するファイル名、および通信装置１００から送信された付加情報を関連付けて記憶する。
【００５２】
このように思い出データベース部２０４が構成されることで、送受信部２０１は、アドレスデータベース部２０５から抽出したユーザＩＤ、送受信部２０１が割り当てた思い出ＩＤ、通信装置１００から受信した静止画／動画データを特定するファイル名、音声データを特定するファイル名を思い出データベース部２０４に登録することにより、思い出データベース部２０４に記憶される情報が構築される。そして、このように構築された思い出データベース部２０４から、データ管理部２０２は、思い出ＩＤに基づいて、撮影データである静止画ファイル、動画ファイル、音声ファイルを抽出することができる。
【００５３】
アドレスデータベース部２０５は、ユーザＩＤ、ユーザの名称、電話番号、および電子メールアドレスを関連付けて記憶する。図７は、アドレスデータベース部２０５に記憶される情報の具体例を示す説明図である。
【００５４】
図７に示すとおり、アドレスデータベース部２０５は、ユーザＩＤ、ユーザの名称、電話番号および電子メールアドレスを関連付けて記憶するものであって、通信装置１００のユーザは、通信装置１００の操作部（図示せず）を用いた初期登録操作として、ユーザの名称、電話番号、および電子メールアドレスをアドレスデータベース部２０５に登録することにより、アドレスデータベース部２０５を構築する。
【００５５】
そして、データ管理部２０２は、通信装置１００のユーザからの登録操作により受信したユーザの名称、電話番号および電子メールアドレスに対して一意に特定することのできるユーザＩＤを割り付け、アドレスデータベース部２０５に登録する。データ管理部２０２は、アドレスデータベース部２０５に記憶される上述の情報から、登録されたユーザＩＤに基づいて電話番号および電子メールアドレスを抽出することができる。なお、通信装置１００が撮影データを登録する際に、ユーザの名称、電子メールアドレス、電話番号を自動的に登録するようにしても良い。
【００５６】
以上のとおり構成された通信装置１００、サーバ装置２００の動作について説明する。図８は、通信装置１００が位置情報を取得し、バイタル情報に基づいて撮影を行うか否かを判断するときの動作フロー図である。
【００５７】
通信装置１００の位置情報取得部１０４は、一定周期ごとに、通信装置１００の位置情報をＧＰＳ技術により取得する（Ｓ３０１）。また、バイタル情報センサ１０１は、ユーザの脈拍数を計測し、計測した結果である脈拍数を示す情報を取得し、脈拍数を示す情報を条件判断部１０２に出力する（Ｓ３０２）。条件判断部１０２は、脈拍数を示す情報を受けると、条件データベース１０３に記憶されている情報から、受けた脈拍数を示す情報に基づいて撮影部１０５を動作させるか否かを判断し、動作させる場合は、静止画を撮影するのか、動画を撮影するのか、またマイク１０６を用いて音声録音を行うのかを判断する（Ｓ３０３）。
【００５８】
そして、条件判断部１０２は、撮影部１０５、マイク１０６の動作を決定し、撮影部１０５、マイク１０６に対して決定した動作を行うよう指示信号を送出する（Ｓ３０４）。なお、ユーザの操作により撮影部１０５、マイク１０６を操作し、静止画撮影または動画撮影などを行うこともできるようにしても良い。
【００５９】
条件判断部１０２が、脈拍数を示す情報に基づいて撮影すると判断する場合（Ｓ３０５）、Ｓ３０６に進み、撮影処理に移行する。そして、条件判断部１０２は、計測した脈拍数を示す情報に対応した付加情報を条件データベース部１０３から抽出する（Ｓ３０６）。
【００６０】
条件判断部１０２からの指示信号を受けた撮影部１０５は、指示信号の指示に従って静止画の撮影、動画の撮影のいずれかを行う。また、マイク１０６は、条件判断部１０２からの指示に従って、録音動作を行う（Ｓ３０７）。
【００６１】
撮影部１０５、およびマイク１０６が、ユーザからの撮影終了の指示があることを判断すると、撮影の終了と判断し、撮影を終了する（Ｓ３０８）。なお、予め定めた時間が経過した場合、ユーザの位置が撮影開始したときの位置から予め定めた距離を離れた場合、または別の撮影が開始された場合などを、撮影の終了と判断しても良い。
【００６２】
送受信部１０７は、撮影処理が行われない場合は、位置情報取得部１０４が取得した位置情報、および通信装置１００を特定する情報を予め定められたサーバ装置２００に電子メールにより送信し、また、撮影処理が行われた場合は、撮影された撮影データ、通信装置１００を特定する情報、および抽出された付加情報を予め定められたサーバ装置２００に電子メールを用いて送信する（Ｓ３０９）。なお、通信装置１００がテレビ電話機能を有している場合には、当該テレビ電話機能を用いて撮影データを送信することができる。テレビ電話機能を用いた撮影データの送信をする場合は、Ｓ３０７において撮影開始をした時点で、サーバ装置２００に対して発呼処理を行い、テレビ電話機能による撮影データの送信処理を行う。
【００６３】
サーバ装置２００においては、送受信部２０１は、撮影された撮影データを通信装置１００から受信したか否かを判断する（Ｓ４０１）。送受信部２０１は、通信装置１００から撮影データを電子メールにより受信したと判断すると、受信した撮影データとともに、位置情報取得部１０４が取得した位置情報、および抽出された付加情報を各データベース部に登録する処理を行う。まず、送受信部２０１は、思い出データベース部２０４に、受信した通信装置１００を特定する情報に基づいてアドレスデータベース部２０５から抽出したユーザＩＤ、撮影データを特定する思い出ＩＤ、受信した撮影データ（静止画データ、動画データ、音声データ）、受信した付加情報を登録する（Ｓ４０２）。また、送受信部２０１は、位置情報を位置情報データベース部２０３に登録する（Ｓ４０３）。
【００６４】
なお、Ｓ４０１において撮影データを受信することなく、電子メールにより位置情報および通信装置１００を特定する情報を受信したと判断すると、各データベース部への登録処理を行わず、図９に示す撮影データの配信処理に移行する。
【００６５】
以上の動作により、通信装置１００は、ユーザが撮影したいと思われる撮影対象を自動的に撮影することができ、さらにサーバ装置２００に撮影した撮影データを自動的に送信し、サーバ装置２００は受信した撮影データを登録することができる。
【００６６】
次に、図８の処理に引き続いて、通信装置１００の現在位置に応じてサーバ装置２００が通信装置１００に送信するときの動作について説明する。図９は、通信装置１００の現在位置に応じてサーバ装置２００が通信装置１００に送信するときの動作フロー図である。
【００６７】
サーバ装置２００のデータ管理部２０２は、受信した位置情報に基づいて位置情報データベース部２０３に記憶されている思い出ＩＤを検索し、受信した位置情報から所定範囲内にある位置情報、および当該位置情報に対応する思い出ＩＤを抽出する（Ｓ４０４）。なお、データ管理部２０２は、所定時間内に撮影された撮影データを抽出しないようファイル生成時刻に基づいて当該撮影データを除外するよう制御している。サーバ装置２００が撮影したばかりのデータを通信装置１００に送信しないようにするためである。
【００６８】
データ管理部２０２は、位置情報および思い出ＩＤを抽出できたと判断した場合（Ｓ４０５）、データ管理部２０２は、抽出した思い出ＩＤに基づいて思い出データベース部２０４に記憶されている情報を検索し（Ｓ４０６）、撮影データ、ユーザＩＤを抽出する（Ｓ４０７）。
【００６９】
データ管理部２０２は、抽出したユーザＩＤに基づいてアドレスデータベース部２０５に記憶されている情報を検索し（Ｓ４０８）、電子メールアドレスを抽出する（Ｓ４０９）。データ管理部２０２は、抽出した電子メールアドレス、および撮影データを送受信部２０１に出力し、送受信部２０１は、抽出した電子メールアドレス宛てに、撮影データを送信する（Ｓ４１０）。
【００７０】
通信装置１００の送受信部１０７は、サーバ装置２００から撮影データを受信し（Ｓ３１０）、画面表示部１０８は、受信した撮影データを表示する（Ｓ３１１）。また、受信した撮影データが、音声データを含む場合、または動画データである場合、スピーカ１０９は、当該音声データ、または動画データの中の音声部分を再生する。
【００７１】
このように、通信装置１００は、サーバ装置２００に通信装置１００の現在位置を示す位置情報を送信し、サーバ装置２００では、通信装置１００の位置情報に基づいた撮影データを抽出して、通信装置１００に送信することで、通信装置１００のユーザは、以前に撮影したデータを、時間を経て得ることができ、ユーザは以前に撮影した撮影データを撮影した場所にいながら当時を思い浮かべて鑑賞することができる。また、撮影したデータをリマインダ機能として活用することができる。
【００７２】
以上、撮影部の部分、センサ部、通信部が一体に構成された通信装置１００の構成、および動作について説明したが、通信装置１００は、撮影対象を撮影する撮影部、脈拍数を計測するセンサ部、撮影部が撮影した撮影データを予め定めたサーバ装置に送信する通信部とを別体に構成することもできる。図１０は、通信装置１００を撮影部、センサ部、通信部を別体に構成した外観構成図である。図１０に示す構成においては、撮影部、センサ部、通信部は互いにブルートゥースなどの無線通信技術を用いて、データの送受信を行うことができる。
【００７３】
ヘッドセット２１は、撮影対象を撮影することにより撮影データを生成する撮影部、音を収集して、音声データを生成するマイク部、およびスピーカ部から構成されるものであり、ユーザの頭部をベルトなどで巻きつけることによりユーザの頭部にヘッドセット２１を装着することができる。リストバンド２２は、ユーザの手首に巻きつけられるものであり、脈拍数を測定することができるセンサ部
である。通信装置２３は、ヘッドセット２１の撮影部が撮影した撮影データ（マイク部が収集した音声データを含む）を予め定めたサーバ装置に送信する通信部である。また、通信装置２３は、電話機能をも有しており、ユーザはヘッドセット２１に備えられているマイク部、スピーカ部を用いて電話機能による通話を行うことができる。
【００７４】
そして、これらヘッドセット２１、リストバンド２２、通信装置２３は互いにブルートゥースなどの無線通信技術を用いて撮影データ、脈拍データなどの送受信を行うことができる。すなわち、ヘッドセット２１は、撮影データを通信装置２３に送信し、通信装置２３は、予め定めたサーバ装置に送信する。また、リストバンド２２は測定した脈拍数が予め定めた範囲になるとヘッドセット部２１にその旨を通知し、ヘッドセット２１は、通知された範囲に応じた撮影動作を行う。
【００７５】
次に、本発明の通信装置１００、サーバ装置２００における作用効果を説明する。通信装置１００は、ユーザのバイタル情報に基づいて撮影した撮影データをサーバ装置２００に送信することにより、ユーザの操作を行うことなく、ユーザが撮影したいと思われる撮影対象を自動的に撮影することができ、使い勝手の良い通信装置１００を提供することができる。
【００７６】
また、撮影対象を撮影する撮影部を備えるヘッドセット２１、バイタル情報を取得するリストバンド２２、撮影したデータをサーバ装置２００に送信する通信装置２３とは互いに無線通信によりバイタル情報、撮影データを送受信することができるよう別体で構成されることにより、通信装置１００自体の構成に自由度を持たせることができ、使い勝手の良い通信装置１００を提供することができる。
【００７７】
また、サーバ装置２００は、通信装置１００から送信された撮影データを受信し、記憶することにより、通信装置１００からの撮影データを保持することができるサーバ装置２００を提供することができる。
【００７８】
また、サーバ装置２００は、既に記憶されている撮影データから通信装置１００の位置情報に基づいた撮影データを抽出し、抽出した撮影データを通信装置１００に送信することにより、以前に撮影したデータを、時間を経て得ることができ、ユーザは以前に撮影した撮影データを撮影した場所にいながら当時を思い浮かべて鑑賞することができる。また、撮影したデータをリマインダ機能として活用することができる。
【００７９】
また、通信装置１００は撮影データとともにバイタル情報を関連付けてサーバ装置２００に送信し、サーバ装置２００ではバイタル情報を撮影データ等ともに登録することにより、当時の感情や思いも合わせて残すことができる。
【００８０】
また、サーバ装置２００は、撮影したデータを送信するとともに記憶された付加情報を通信装置１００に送信することにより、当時の感情や思いも合わせて通信装置１００に送信することができる。
【図面の簡単な説明】
【００８１】
【図１】本発明の通信装置１００の外観構成図である。
【図２】通信装置１００のブロック構成図である。
【図３】図３は、条件データベース部１０３が記憶するセンサ情報、端末動作、付加情報（感情）とを関連付けて予め記憶する具体例を示す説明図である。
【図４】サーバ装置２００のブロック構成図である。
【図５】位置情報データベース部２０３が記憶する情報の具体例を示す説明図である。
【図６】思い出データベース部２０４に記憶される情報の具体例を示す説明図である。
【図７】アドレスデータベース部２０５に記憶される情報の具体例を示す説明図である。
【図８】通信装置１００が位置情報を取得し、バイタル情報に基づいて撮影を行うか否かを判断するときの動作フロー図である。
【図９】通信装置１００の現在位置に応じてサーバ装置２００が通信装置１００に送信するときの動作フロー図である。
【図１０】通信装置１００を、撮影部、センサ部、通信部を別体に構成した外観構成図である。
【符号の説明】
【００８２】
１００・・・通信装置、１０１・・・バイタル情報センサ、１０２・・・条件判断部、１０３・・・条件データベース部、１０４・・・位置情報取得部、１０５・・・撮影部、１０６・・・マイク、１０７・・・送受信部、１０８・・・画面表示部、１０９・・・スピーカ、２００・・・サーバ装置、２０１・・・送受信部、２０２・・・データ管理部、２０３・・・位置情報データベース部、２０４・・・思い出データベース部、２０５・・・アドレスデータベース部。
【図１】
2005303734.tif 000003
【図２】
2005303734.tif 000004
【図３】
2005303734.tif 000005
【図４】
2005303734.tif 000006
【図５】
2005303734.tif 000007
【図６】
2005303734.tif 000008
【図７】
2005303734.tif 000009
【図８】
2005303734.tif 000010
【図９】
2005303734.tif 000011
【図１０】
2005303734.tif 000012